(57)【要約】【課題】エアコンの室外機に対して熱交換を改善させて冷暖房効率を上げることを課題とする。【解決手段】エアコンの室外機のカバー及び/或いはエアコンの室外機が設置された周辺の表面にアクリル系エマルジョンに中空ビーズをブレンドした水性塗料の塗装面にメタノールを主成分とし、微量の水、酸化スズ、酸化ケイ素を含む成分からなる親水コートを形成した遮熱・断熱層を設けてエアコンの冷暖房効率を上げる方法。【選択図】図１
2019002671.tif 000002
【特許請求の範囲】
【請求項１】
内部に冷暖房機構を収納した屋外機のカバー及び/或いは該装置が設置された周辺の表面にアクリル系エマルジョンに中空ビーズをブレンドした水性塗料の塗装面に親水コートを形成した遮熱・断熱層を設けたことを特徴とする内部に冷暖房機構を収納し室外に設置される装置の冷暖房効率を上げる方法。
【請求項２】
親水コートがメタノールを主成分とし、微量の水、酸化スズ、酸化ケイ素を含む成分である請求項１項記載の方法。
【請求項３】
内部に冷暖房機構を収納した屋外機がエアコンの室外機である請求項１項記載の方法。
【請求項４】
内部に冷暖房機構を収納した屋外機が自動販売機である請求項１記載の方法。
【請求項５】
内部に冷暖房機構を収納した屋外機の上部に庇板を設け、該庇板の上面にアクリル系エマルジョンに中空ビーズをブレンドした水性塗料の塗装面に親水コートを形成した遮熱・断熱層を設けたことを特徴とする内部に冷暖房機構を収納し室外に設置される装置の冷暖房効率を上げる方法。
【請求項６】
親水コートがメタノールを主成分とし、微量の水、酸化スズ、酸化ケイ素を含む成分である請求項５項記載の方法。
【請求項７】
内部に冷暖房機構を収納した屋外機がエアコンの室外機である請求項５項記載の方法。
【請求項８】
内部に冷暖房機構を収納した屋外機が自動販売機である請求項５記載の方法。
【発明の詳細な説明】
【技術分野】
【０００１】
本発明は、内部に冷暖房機構を収納した屋外機の冷暖房効率を上げる方法に関する。
【背景技術】
【０００２】
内部に冷暖房機構を収納した屋外機としては、コンプレッサによる冷媒の圧縮膨張により冷暖房行わせる冷暖房機構を内部に収納したエアコンの室外機、自動販売機等を挙げることができる。
【０００３】
近年、あらゆる分野で節電が求められている。夏季の冷房、冬季の暖房に使われているエアコンの電力消費は大きな割合を占めている。エアコンの冷暖房効率を上げることや室内温度を冷房時高めに、暖房時低めに設定することが節電に繋がることになる。
【０００４】
また、エアコン自体では、インバータを用いたきめ細かい制御や人感センサ等のセンサを用いて必要エリアだけの冷暖房を行う等の効率改善が行われている。
【０００５】
しかし、エアコンは室内機と室外機の間を冷媒が循環して凝縮と蒸発を繰り返すことで、冷房時には室内の熱を室外に放出し、暖房時には室外の空気中の熱を室内に放出するヒートポンプが用いられており、したがって夏季の冷房時には室外機の周囲温度を下げ、逆に冬季の暖房時には室外機の周囲温度を上げることで冷暖房効率を向上させることができ、節電に繋げることができる。
【０００６】
一方、中空ビーズを含む塗布層は、中空ビーズに太陽光の高反射、熱の高反射効果があり、そのため優れた断熱・遮熱機能を持つことが知られており（特開２０１０−２４８８５２公報、特開平１１−９０３２８号公報）、これを用いた遮熱・断熱層を室外機の表面乃至その設置領域の周辺部表面に設けることが下記特許文献に開示されている。
【先行技術文献】
【特許文献】
【０００７】
【特許文献１】特開２００９−２６２３７８号公報
【特許文献２】特開２００７−３０７５２８号公報
【特許文献３】特許第６０３８２４号公報
【特許文献４】特許第６０５０８７８号公報
【特許文献５】特開２０１５−１１７９２４号公報
【発明の概要】
【発明が解決しようとする課題】
【０００８】
このうち特許文献５には遮熱・断熱塗料としてアクリルエマルジョンに中空ビーズをブレンドした水性塗料が使用されている。
【０００９】
これは、水分の熱伝導率の低いことを利用して中空ビーズのブレンド層を水層とすることにより、夏季においては室外機内の温度上昇を抑えることができ、冬季においては室外機内の温度低下を抑えることができるので、油性のものに比べて優れた遮熱・断熱効果を発揮するのである。
【００１０】
しかし、水性塗料を塗布して形成した遮熱・断熱層は長期間大気中に放置されると、水分の蒸発等により中空ビーズをブレンドした水層が次第に失われ、遮熱・断熱効果が低下する。
【課題を解決するための手段】
【００１１】
そこで、本発明は、内部に冷暖房機構を収納した屋外機であるエアコンであるエアコン室外機乃至自動販売機の冷暖房効率を上げる方法として、本発明では屋外機のカバー及び/或いは該屋外機が設置された周辺の表面にアクリル系エマルジョンに中空ビーズをブレンドした水性塗料の塗装面に親水コートを形成した遮熱・断熱層を設けることを提案するものである。
【００１２】
また、本発明では上記屋外機の上部に庇板を設け、該庇板の上面にアクリル系エマルジョンに中空ビーズをブレンドした水性塗料の塗装面に親水コートを形成した遮熱・断熱層を設けることを提案するものである。
【００１３】
即ち、本発明で中空ビーズをブレンドした水性塗料の塗装面に親和性のある親水コートを形成したあるため、長期間に亘って大気中に放置されても中空ビーズをブレンドした水層が失われることなく、夏季においては室外機内の温度上昇を抑えることができ、冬季においては室外機内の温度低下を抑えることができ、エアコンの省エネを図ることができる。
【００１４】
ここで、親水コートの成分としては、メタノールを主成分とし、微量の水、酸化スズ、酸化ケイ素を含む成分を挙げることができる。
【発明の効果】
【００１５】
本発明ではコンプレッサによる冷媒の圧縮膨張により冷暖房行わせる冷暖房機構を内部に収納したエアコンの室外機乃至自動販売機のカバー乃至設置周辺にアクリルエマルジョンに中空ビーズをブレンドした水性塗料の塗装面に親水コートを施した遮熱・断熱層を設けることにより継続的に機内の冷暖房効率を向上させることができ、夏季においては機内の温度上昇を抑えることができ、冬季においては内の温度低下を抑えることができ、エアコンの省エネを図ることができる。
【００１６】
また、本発明においてはコンプレッサによる冷媒の圧縮膨張により冷暖房行わせる冷暖房機構を内部に収納したエアコンの室外機乃至自動販売機の上部に庇板を設けることにより夏は葦簀として日陰効果があり、冬は冷気を防ぎ、霜よけ効果があると共に、庇板の上面にアクリル系エマルジョンに中空ビーズをブレンドした水性塗料の塗装面に親水コートを形成した遮熱・断熱層を設けることにより、機内の冷暖房効率を向上させることができ、夏季においては機内の温度上昇を抑えることができ、冬季においては内の温度低下を抑えることができ、エアコンの省エネを図ることができる。
【図面の簡単な説明】
【００１７】
【図１】の一実施態様を示す図
【図２】本発明の他の実施態様を示す図
【図３】本発明の他の実施態様を示す図
【図４】室外機の上部に設けられた庇板の上面に本発明の遮熱・断熱層を設けた図
【図５】自動販売機の上部に設けられた庇板の上面に本発明の遮熱・断熱層を設けた図
【発明を実施するための形態】
【００１８】
エアコンの室外機のカバー及び/或いはエアコンの室外機が設置された周辺の表面にアクリルエマルジョンに中空ビーズをブレンドした水性塗料の塗装面にメタノールを主成分とし、微量の水、酸化スズ、酸化ケイ素を含む成分からなる親水コートを形成した遮熱・断熱層を設けてエアコンの冷暖房効率を上げる方法
【実施例１】
【００１９】
本発明のエアコンの冷暖房効率を上げる方法の一実施例を図１に示す。図１ではエアコン室外機１，２が設置された周辺として床面、近傍側面がある場合は近傍側面にそれぞれ遮熱・断熱層５，６を塗布形成したものである。
【００２０】
遮熱・断熱層５，６は周辺のコンクリート面、あるいはアスファルト面にアクリル系エマルジョンに中空ビーズをブレンドした水性塗料の塗装面に親水コートを塗布して形成される。
【００２１】
親水コートとしては、その成分がメタノール９０％〜、純水〜４％、酸化スズ（IV）〜０．１％、二酸化ケイ素〜２％（商品名スーパーグラス：株式会社スケッチ製品）を使用することができる。
【００２２】
このように、エアコン室外機１，２の周辺に遮熱・断熱層５，６を設けることで、夏季のエアコンの冷房動作時、エアコン室外機１，２周辺の床面、側壁の構造物（例えばコンクリート）に直射日光当たり、過熱されて熱くなるのを防止できる。
【００２３】
このため、遮熱・断熱層５，６上部の外気の温度を下げることができ、エアコン室外機１，２の室外空気吸入口３から吸入される周辺空気の温度を下げることができる。
【００２４】
また、冬季のエアコン暖房動作時には、エアコン室外機１，２の周辺の床面（コンクリート、あるいはアスファルト）、あるいは側壁の構造物（例えばコンクリート）が冷えても、温度が下がるのを抑制できる。
【００２５】
この結果、エアコン室外機１，２の周辺に遮熱・断熱層５，６を設けることにより、これがない場合よりエアコン室外機１，２の室外空気吸入口３から吸入される周辺空気の温度を上げることができる。
【００２６】
遮熱・断熱層５，６の大きさについての実験では、エアコン室外機１の高さをｈとすると、周辺に２ｈの幅以上の塗布面とすることで、エアコン冷暖房効率を〜約１０％上げられる結果が得られている。
【００２７】
次に、本発明のエアコン冷暖房効率を上げる方法の他の実施態様を図２に示す。図２では、図１と同様にエアコン室外機１が設置された周辺として床面、また近傍側面がある場合は近傍側面に遮熱・断熱層５，６を塗布形成すると共に、エアコン室外機１，２のカバーの全面に渡って遮熱・断熱層５，６と同様に作成された遮熱・断熱層７，８を塗布形成したものである。
【００２８】
エアコン室外機１のカバー全面に渡って遮熱・断熱層７，８を設けることで、夏季のエアコンの冷房動作時には、直射日光が当たり、エアコン室外機１，２のカバーの温度の上昇を抑えることができ、内部の空気や室外熱交換器、コンプレッサ等が熱くなるのを防ぐことができる。
【００２９】
また、冬季のエアコン暖房動作時には、遮熱・断熱層７，８をエアコン室外機１、２のカバー全面に塗布形成したことにより、エアコン室外機１，２が外気で冷やされるのを外断熱効果で防ぐことができる。
【００３０】
前記図１の実験例に対して、更に室外機１のカバー全面に遮熱・断熱層７，８を設けることでエアコンの冷暖房効率を〜約２０％上げられる結果が得られている。
【００３１】
次に、本発明のエアコンの冷暖房効率を上げる方法の他の実施態様を図３に示す。図３では、ビル９の屋上１０に設置されたエアコン室外機１３〜１６のカバーに遮熱・断熱層７，８が塗布形成される。更に、エアコン室外機１３〜１６の周辺の屋上１０の床面には遮熱・断熱層１７が塗布形成される。また、屋上１０への出入り口１１を有したエアコン室外機１３〜１６の近傍の側壁１２に、遮熱・断熱層１８が塗布形成される。
【００３２】
なお、遮熱・断熱層１７、１８は前記遮熱・断熱層５．６と同様に塗布形成される。即ち、遮熱・断熱層１７はエアコン室外機１３〜１６が設置されたコンクリート、あるいはアスファルト床面に対してアクリルエマルジョンに中空ビーズをブレンドした水性塗料を塗布し、その塗布面に親水コート（例えば、商品名スーパーグラス：株式会社スケッチ製品）を塗布して形成される。
【００３３】
遮熱・断熱層１８は近傍の側壁１２に対してアクリルエマルジョンに中空ビーズをブレンドした水性塗料を塗布し、その塗布面に親水コート（商品名スーパーグラス：株式会社スケッチ製品）を塗布して形成される。
【００３４】
夏場においては、屋上や屋根上に設置されている室外機の周辺温度は７０℃前後になり、室外機はコンプレッサで冷媒を膨張させて吸入口から取り入れあつた熱い空気を冷やして室内に送り込み、室内の熱を外に排出するものであるが、遮熱・断熱層１７，１８を設けることにより太陽熱を反射させて温度が４０℃前後に下がり、更に直射日光からの輻射熱を抑えることができるので、冷房効率を向上させることができる。
【００３５】
冬場においては、エアコンの室外機はコンプレッサで冷媒を圧縮して吸入口から取り入れられた冷たい外気を暖めて室内に送り込み、室内冷気を外に排出するものであるが、遮熱・断熱層１７，１８を設けることにより冬場の冷気を抑え、暖められた空気を迅速に取り入れることができるので、暖房効率を向上させることができる。
【００３６】
実験例１
A遊技場屋上室外機に対して本発明の遮熱・断熱塗装による電力削減状況とCO２削減状況の調査  
実験１
H２５年１月〜１２月まで遮熱・断熱塗装しない状況の合計使用電力、電力使用金額とH２６年１月〜１２月まで遮熱・断熱塗装した状況の合計使用電力、電力使用金額
（１）H２５年１月〜１２月まで遮熱・断熱塗装しない状況の合計使用電力は533.046Kwh、電力使用金額は11,620,403円
（２）H２６年１月〜１２月まで遮熱・断熱塗装した状況の合計使用電力は445,878Kwh、電力使用金額は9,720,140円
（３）本発明の遮熱・断熱塗装することにより削減電力は87,168Kwh、削減率は16.4％、削減金額は1,900,262円
実験２
H２５年１月〜１２月まで遮熱・断熱塗装しない状況に対してH２６年１月〜１２月まで遮熱・断熱塗装した状況でのCO２削減量は32,688Kgであった。
【００３７】
実験例２
JRA施設屋上室外機に対して本発明の遮熱・断熱塗装による電力削減状況とCO２削減状況の調査
実験１
H２６年１月〜１２月まで遮熱・断熱塗装しない状況の合計使用電力、電力使用金額とH２７年１月〜１２月まで遮熱・断熱塗装した状況の合計使用電力、電力使用金額
（１）H２６年１月〜１２月まで遮熱・断熱塗装しない状況の合計使用電力は515,420Kwh、電力使用金額は10,720,736円
（２）H２７年１月〜１２月まで遮熱・断熱塗装した状況の合計使用電力は429,076Kwh、電力使用金額は8,924,781円
（３）本発明の遮熱・断熱塗装することにより削減電力は86,344Kw、削減率は16.8％、削減金額は1,795,955円
実験２
H２６年１月〜１２月まで遮熱・断熱塗装しない状況に対してH２７年１月〜１２月まで遮熱・断熱塗装した状況でのCO２削減量は33,243Kgであった。
【００３８】
実験例３
本発明に係わる遮熱・断熱層を塗装したカバー（省エネカバー）としては、カバー対象により種々の形態が考えられるが、室外機の吸気側についてはブラインド型カバーが特に有効である。
【００３９】
即ち、遮熱・断熱層を塗装したブラインド型省エネカバーを室外機の吸気側に設置することにより日陰をつくり室外機本体の温度を下げることが大きな効果に繋がる。
【００４０】
表１は、室外機の吸気側に遮熱・断熱層を塗装したブラインド型省エネカバーを設置することにより使用電力量を削除することが可能であることを示すものであり、これより明らかなように室外機の吸気側に前記省エネカバーを設置すると０．５Ｋｗの電力を抑えることができ、２０％の削減が可能である。
【００４１】
【表１】
2019002671.tif 000003
【実施例２】
【００４２】
図４は、室外機１の上部に遮熱・断熱層５を塗装した庇板１９を設けた例を示す。
図５は自動販売機２０の上部に遮熱・断熱層５を塗装した庇板１９を設けた例を示す。
【００４３】
この場合、室外機１乃至自動販売機２０の上部に庇板１９を設けることにより夏は葦簀として日陰効果があり、冬は冷気を防ぎ、霜よけ効果があるとともに、室外機１乃至自動販売機２０に対して、庇板上面に本発明の遮熱・断熱層５を設けることにより、２０％の省エネ効果を発揮する。
【産業上の利用可能性】
【００４４】
即ち、本発明ではエアコン室外機乃至自動販売機にアクリルエマルジョンに中空ビーズをブレンドした水性塗料の塗装面に親水コートを施した遮熱・断熱層を設けることにより継続的にエアコンの冷暖房効率を向上させることができ、したがって１０％〜３０％省エネ、CO２・温室効果ガス削減に大きく貢献できる。
【符号の説明】
【００４５】
１、２、１３〜１６  エアコン室外機
３  室外空気吸入口  
４  室外空気排出口  
５，６  遮熱・断熱層    
７，８  遮熱・断熱層
９  ビル
１０  屋上
１１  屋上出入り口
１２  側壁
１７，１８  遮熱・断熱層
１９は遮熱・断熱層を塗装した庇板
２０は自動販売機
【図１】
2019002671.tif 000004
【図２】
2019002671.tif 000005
【図３】
2019002671.tif 000006
【図４】
2019002671.tif 000007
【図５】
2019002671.tif 000008